(57)【特許請求の範囲】
【請求項１】
情報提供装置が設けられているＣＡＴＶセンタと多数の加入者端末装置とが通信用回線で接続されており、ＣＡＴＶセンタと加入者端末装置との間でＴＶ放送サービス及び各種双方向情報サービスのための双方向通信が周波数分割方式により設定された上り信号用周波数帯域及び下り信号用周波数帯域を使用して行われるように構成された双方向ＣＡＴＶシステム内に少なくとも１つ設けられる、前記双方向情報サービスのための相互に独立した２つの双方向通信チャネルを設定するための接続装置であって、
前記上り信号用周波数帯域内に設けられた所定の第１専用周波数帯域の信号の通過を阻止するための第１手段と、
前記下り信号用周波数帯域内に設けられた所定の第２専用周波数帯域の信号の通過を阻止するための第２手段と、
前記第１手段の出力側と前記第２手段の入力側とに接続され前記第１専用周波数帯域と前記第２専用周波数帯域とを用いて上流側と通信を行うための第１通信手段と、
前記第１手段の入力側と前記第２手段の出力側とに接続され前記第１専用周波数帯域と前記第２専用周波数帯域とを用いて下流側と通信を行うための第２通信手段と、
前記双方向情報サービスのためのデータを蓄積しておく情報蓄積装置と、
前記第１通信手段を介して前記上流側の前記ＣＡＴＶセンタあるいは他接続装置に要求を行って前記上流側より前記双方向情報サービスのためのデータの供給を受けて前記情報蓄積装置に蓄積し、また前記情報蓄積装置に蓄積されている前記データを、前記第２通信手段を介して前記下流側の前記加入者端末装置あるいは他接続装置からの要求に応じて前記下流側に供給することにより前記双方向情報サービスを行うための制御装置と
を備えたことを特徴とする接続装置。
【発明の詳細な説明】
【０００１】
【産業上の利用分野】
本発明は、チャネルの有効利用を図り、多チャネル放送と共に多数の加入者に対する双方向情報サービスを実現することができるようにした双方向ＣＡＴＶシステムに関する。
【０００２】
【従来の技術】
双方向ＣＡＴＶシステムにおいては周波数分割方式の通信システムが採用されており、一般に、６〜５０ＭＨｚの周波数帯域を上り信号のために使用し、７０〜４５０ＭＨｚの周波数帯域を下り信号のために使用して双方向伝送を行っている。しかし、上り信号用の周波数帯域のうち、雑音等による伝送品質の問題から、映像サービスや高速デジタル通信に利用できるのは２４〜３０ＭＨｚ、３０〜３６ＭＨｚ、及び３６〜４２ＭＨｚの３ＴＶチャンネル分に相当する帯域のみである。そして、現在使用されているＣＡＴＶ局においては、このうち１〜２ＴＶチャネル分を中継等のためにすでに使用しているので、新たに使用できる周波数は１ＴＶチャネル分程度にすぎない。一方、下り信号用の周波数帯域については、情報サービス等に複数ＴＶチャネル分を使用することが可能であるが、この場合も１０ＴＶチャネル以下であることが多い。
【０００３】
【発明が解決しようとする課題】
ところで、近年、双方向ＣＡＴＶシステムを利用した加入者に対する双方向情報サービスが普及してきている。この種の情報サービスはＣＡＴＶセンタに設置された情報提供装置と各加入者端末装置との間で双方向のデータ伝送が行われる構成であるが、上述した周波数事情により、各加入者端末装置からＣＡＴＶセンタへの上り情報のために１ＴＶチャネル分、下り情報に対しても数チャネル分しか周波数を確保することができない。したがって、この情報サービスを同時に利用できる加入者端末装置数に限りがあったり応答性が悪くなるなど、多数の加入者端末装置に対して充分な情報サービスを行うことが困難であるという問題点を有している。
【０００４】
この問題を解決するため、上り信号用の周波数帯域を広げることで上り情報のために充分なチャンネルを確保することが考えられているが、この方法によると既設のＣＡＴＶ施設の場合伝送経路に挿入されている双方向ＣＡＴＶアンプや、加入者用ＣＡＴＶ視聴装置を交換する必要が生じ、その費用負担も相当なものとなるなど別の問題が生じる。
【０００５】
また、特開平４−１６０８９号公報には、幹線のみ上り信号用の周波数帯域を広げ、支線については通常の帯域への変換を行い、これにより加入者用装置の交換を不要とする構成が提案されている。しかし、この提案された構成によっても、幹線系の装置を変更しなければならないほか、支線系においては確保できる上りチャネルは１ＴＶチャネルのみであり、支線系についての制限は同様に生じてしまうという問題点を有している。
【０００６】
本発明の目的は、ＴＶ放送サービス用の周波数を減少させることなしに、多数の加入者に対して双方向情報サービスを実現することのできる、双方向ＣＡＴＶシステムを提供することにある。
【０００７】
本発明の他の目的は、双方向ＣＡＴＶシステムにおいて行われる双方向情報サービスのために必要な回線容量をＴＶ放送サービス用の周波数を減少させることなしに確保することができるようにした接続装置を提供することにある。
【課題を解決するための手段】
【０００８】
上記課題を解決するための本発明の特徴は、情報提供装置が設けられているＣＡＴＶセンタと多数の加入者端末装置とが通信用回線で接続されており、ＣＡＴＶセンタと加入者端末装置との間でＴＶ放送サービス及び各種双方向情報サービスのための双方向通信が周波数分割方式により設定された上り信号用周波数帯域及び下り信号用周波数帯域を使用して行われるように構成された双方向ＣＡＴＶシステムにおいて、前記通信用回線の途中に情報サービスのためのサブ情報局を少なくとも１つ設け、該サブ情報局の上流方向のみと双方向情報サービス通信を行うための第１双方向通信チャネルと該サブ情報局の下流方向のみと双方向情報サービス通信を行うための第２双方向通信チャネルとを前記上り信号用周波数帯域及び前記下り信号用周波数帯域を利用して設け、前記第１双方向通信チャネルを通して得られた情報データと前記第２双方向通信チャネルを通して得られた情報データとを該サブ情報局において共有するようにした点にある。
【０００９】
第１双方向通信チャネルは、所定の上り信号用周波数帯域及び所定の下り信号用周波数帯域内に、情報サービスのための上流専用周波数帯をそれぞれ設けることにより構成することができる。この場合、適宜の周波数選択部材（例えば帯域阻止フィルタ手段）を用いて下り信号用周波数帯域内に設けられた上流専用周波数帯の信号が下流側に伝送されないように構成することにより、第１双方向通信チャネルを第２双方向通信チャネルと独立して設けることができる。
【００１０】
一方、第２双方向通信チャネルは、所定の上り信号用周波数帯域及び所定の下り信号用周波数帯域内に、上記上流専用周波数帯と同じ周波数帯か又はこれとは別の任意に設定された周波数帯の情報サービスのための下流専用周波数帯をそれぞれ設けて構成することができる。この場合、適宜の周波数選択部材（例えば帯域阻止フィルタ手段）を用いて上り信号用周波数帯域内に設けられた下流専用周波数帯の信号が上流側に伝送されることがないように構成とすることにより、第２双方向通信チャネルを第１双方向通信チャネルと独立して設けることができる。
【００１１】
上流側及び下流側の情報はサブ情報局において一括管理することが可能であり、必要な情報はサブ情報局の適宜の記憶手段に格納され、共有される。したがって上流側からの又は下流側からの要求に応じて必要な情報データを適宜供給して情報サービスを行うことができる構成とすることができる。
【００１２】
一方、本発明の別の特徴は、情報提供装置が設けられているＣＡＴＶセンタと多数の加入者端末装置とが通信用回線で接続されており、ＣＡＴＶセンタと加入者端末装置との間でＴＶ放送サービス及び各種双方向情報サービスのための双方向通信が周波数分割方式により設定された上り信号用周波数帯域及び下り信号用周波数帯域を使用して行われるように構成された双方向ＣＡＴＶシステム内に情報サービスのための相互に独立した２つの双方向通信チャネルを設定するための接続装置であって、前記上り信号用周波数帯域内に設けられた所定の第１専用周波数帯域の信号の通過を阻止するための第１手段と、前記下り信号用周波数帯域内に設けられた所定の第２専用周波数帯域の信号の通過を阻止するための第２手段と、前記第１手段の出力側と前記第２手段の入力側とに接続され前記第１専用周波数帯と前記第２専用周波数帯域とを用いて上流側と通信を行うための第１通信手段と、前記第２手段の入力側と前記第１手段の出力側とに接続され前記第１専用周波数帯と前記第２専用周波数帯域とを用いて下流側と通信を行うための第２通信手段とを備えた点にある。
【００１３】
【作用】
サブ情報局から上流方向部に対しては、双方向通信チャネルによってサブ情報局と双方向情報サービス通信を行うことができる。この第１双方向通信チャネルは上流方向のみと双方向情報サービス通信を行うためのものであり、第１双方向通信チャネルに流れる情報がそのまま第２双方向通信チャネルに流れることはない。
【００１４】
一方、サブ情報局から下流方向に対しては、第２双方向通信チャネルによってサブ情報局と双方向情報サービス通信を行うことができる。この第２双方向通信チャネルは下流方向のみと双方向情報サービス通信を行うためのものであり、第２双方向通信チャネルに流れる情報がそのまま第１双方向通信チャネルに流れることはない。
【００１５】
このように、相互に独立している２つの双方向通信チャネルがサブ情報局の上流側と下流側とに設けられるので、これら２つの双方向通信チャネルに同一の周波数を割り当てても問題が生じることはない。
【００１６】
また、第１及び第２双方向通信チャネルに流れる各情報はサブ情報局において共有されるので、いずれの双方向通信チャネルに対しても同じ情報を提供することができる。
【００１７】
本発明の別の特徴によると、上り信号用周波数帯域内に設けられた第１専用周波数帯域及び下り信号用周波数帯域内に設けられた第２専用周波数帯域を使用して、下流方向に対する双方向情報サービスが第１通信手段を用いて実行される。この下り方向に対する双方向情報サービスの内容は第１及び第２手段によって上流方向へは送られることがなく、したがって、上流側ではこれら第１及び第２専用周波数帯を別の目的で独立して使用することができる。すなわち、上流側では、第１及び第２専用周波数帯を用いて上流方向に対する別の双方向情報サービスが第２通信手段を用いて実行される。
【００１８】
【実施例】
以下、図面を参照して本発明の一実施例につき詳細に説明する。
【００１９】
図１は、本発明による双方向ＣＡＴＶシステムの一実施例を示すシステム構成図である。図に示す双方向ＣＡＴＶシステム１はＣＡＴＶセンタ２と、ＣＡＴＶセンタ２と通信ケーブル３を介して接続される多数の加入者端末装置とを備えている。図１ではそのうちの３つの加入者端末装置４Ａ、４Ｂ、４Ｃのみが示されている。
【００２０】
ＣＡＴＶセンタ２は、ＴＶ放送サービスのためのＣＡＴＶ放送装置５と、双方向情報サービスのための情報提供装置６とを有しており、ＣＡＴＶ放送装置５と情報提供装置６とはヘッドエンド７を介して通信ケーブル３に接続され、これにより各加入者端末装置４Ａ、４Ｂ、４Ｃに対して所定のサービスのための双方向通信が行われる。
【００２１】
この双方向通信は、周波数分割方式により設定された６〜５０ＭＨｚの上り信号用周波数帯域と７０〜４５０ＭＨｚの下り信号用周波数帯域とを使用して行われる。しかし、この周波数配分は一例であり、これに限定されず任意の他の周波数配分を採用してもよいことは勿論である。
【００２２】
次に、通信ケーブル３を用いて構成される通信路系統３０の構成について説明する。図１において、３１Ａ乃至３１Ｅは通信ケーブル３に加入者端末装置を接続するための接続器、３３Ａ、３３Ｂは中継増幅器であり、これらの各部材は公知であるからそれらの詳しい説明は省略する。
【００２３】
通信路系統３０を通じて伝達すべき双方向情報サービスのためのデータ通信をこの通信路系統３０内において効率的に行うようにするため、通信ケーブル３の途中にサブ情報局３２Ａ、３２Ｂ、３２Ｃが設けられている。これらのサブ情報局３２Ａ、３２Ｂ、３２Ｃはいずれもその上流側と下流側とに、相互に独立した双方向通信チャネルを確立するための機能を有しており、通信路系統３０はこれらのサブ情報局３２Ａ、３２Ｂ、３２Ｃによって以下に示す４つのブロックに分割されている。
（１）ＣＡＴＶセンタ２とサブ情報局３２Ａ、３２Ｃとの間の第１ブロックＢ１。
（２）サブ情報局３２Ａとサブ情報局３２Ｂとの間の第２ブロックＢ２。
（３）サブ情報局３２Ｂより下流の第３ブロックＢ３。
（４）サブ情報局３２Ｃより下流の第４ブロックＢ４。
【００２４】
第１ブロックＢ１乃至第４ブロックＢ４のそれぞれにおいては、双方向情報サービス通信のための第１乃至第４双方向通信チャネルが後述するようにして相互に独立した双方向通信チャネルとして設定されている。
【００２５】
なお、図１に示した一実施例では、サブ情報局を４つ設けることにより通信路系統３０が４つのブロックに分割された場合の例を示したが、これは一例であり、サブ情報局は１つ以上適宜の数設けることができ、これにより２つ以上の任意のブロックに分割するようにしてもよい。
【００２６】
図２にはサブ情報局３２Ａの詳細ブロック図が示されている。符号４０で示されるのは、通信ケーブル３の途中に接続され、通信路系統３０内に相互に独立した２つの双方向通信チャネルを設定するための接続装置である。接続装置４０において、４１は通信ケーブル３の上流側接続端子、４２は通信ケーブル３の下流側接続端子、４３は上流側接続端子４１に接続されている合成出力端子４３Ａを有する帯域分配合成器、４４は下流側接続端子４２に接続されている合成出力端子４４Ａを有する帯域分配合成器である。
【００２７】
帯域分配合成器４４の出力端子４４Ｂと帯域分配合成器４３の入力端子４３Ｃとの間には第１フィルタ４５及び増幅器４６が図示の如く接続され、帯域分配合成器４３の出力端子４３Ｂと帯域分配合成器４４の入力端子４４Ｃとの間には増幅器４７と第２フィルタ４８とが図示の如く接続されている。４９は出力端子４４Ｂに接続された下流側出力端子、５０は入力端子４４Ｃに接続された下流側入力端子、５１は増幅器４７の出力に接続された上流側出力端子、５２は増幅器４６の入力に接続された上流側入力端子である。
【００２８】
符号６０で示されるのは、上述した接続装置４０によって設定される２つの双方向通信チャネルを用いて双方向情報サービスのためのデータ通信を行うための情報提供装置である。
【００２９】
情報提供装置６０は、上流側出力端子５１及び上流側入力端子５２と接続され上流側接続端子４１と接続される第１ブロックＢ１内の各装置との間で双方向情報サービスのための通信を行うための第１インターフェイス装置６１と、下流側出力端子４９及び下流側入力端子５０と接続され下流側接続端子４２と接続される第２ブロックＢ２内の各装置との間で双方向情報サービスのための通信を行うための第２インターフェイス装置６２とを有している。
【００３０】
第１インターフェイス装置６１及び第２インターフェイス装置６２は、情報蓄積装置６３と接続されている制御装置６４に接続され、情報蓄積装置６３内に蓄積されている情報サービス用のデータを必要に応じて上流側又は下流側に供給することができる。なお、このデータ供給のための２つの双方向通信チャネルの詳細については以下に説明される。
【００３１】
図３は通信ケーブル３内を流れる信号の周波数配置図であり、既に説明した上り信号用周波数帯域Ｂ１には上り信号が配置され、下り信号用周波数帯域Ｂ２には下り信号が配置される。そして、上り信号用周波数帯域Ｂ１内には、情報サービス用のための通信にのみ使用される第１専用周波数帯域ＢＵが設けられており、第１専用周波数帯域ＢＵを使用して上りの情報データが伝送される。同様に、下り信号用周波数帯域Ｂ２内には情報サービス用のための通信にのみ使用される第２専用周波数帯域ＢＤが設けられており、第２専用周波数帯域ＢＤを使用して下りの情報データが伝送される。
【００３２】
先ず、下り信号について説明すると、上流側の通信ケーブル３内を流れている信号のうち上流用下り信号Ｓ２は帯域分配合成器４３によって上流用上り信号Ｓ１と分離され、その出力端子４３Ｂから上流用下り信号Ｓ２のみが出力される。この上流用下り信号Ｓ２は、図４の（Ａ）に示されるように、第２専用周波数帯域ＢＤに上流側における情報サービスのための上流用下りデータ信号Ｄ１が配置されている。この上流用下り信号Ｓ２は増幅器４７によって増幅された後、上流側出力端子５１からそのまま取り出され、第１インターフェイス装置６１に入力される。この下り信号Ｓ２の第２専用周波数帯域ＢＤ内には、上流側からの情報サービス用データのための上流用下りデータ信号Ｄ１が含まれており、この上流用下りデータ信号Ｄ１は第１インターフェイス装置６１によって受け取られる。
【００３３】
増幅器４７からの出力は、また、第２フィルタ４８に入力されている。第２フィルタ４８は上流用下り信号Ｓ２のうちの第２専用周波数帯域ＢＤの周波数成分の通過を阻止する帯域阻止フィルタとして構成されており、したがって、第２フィルタ４８からは図４の（Ｂ）に示されるように、下り信号用周波数帯域Ｂ２から第２専用周波数帯域ＢＤの周波数成分が取り除かれた、共通下り信号Ｓ２Ｃが出力され、帯域分配合成器４４の入力端子４４Ｃに入力される。第２フィルタ４８の上述の働きにより、上流用下りデータ信号Ｄ１が下流側に供給されることがない。
【００３４】
入力端子４４Ｃには、第２インターフェイス装置６２から下流側に送出すべき情報サービスのためのデータを内容とする第２専用周波数帯域ＢＤ内の周波数を利用した下流用下りデータ信号Ｄ２が供給されている。したがって、帯域分配合成器４４の合成出力端子４４Ａからは、下流側の通信ケーブル３に、共通下り信号Ｓ２Ｃに下流用下りデータ信号Ｄ２を付加して成る下流用下り信号Ｓ２’が供給される（図４の（Ｃ）参照）。
【００３５】
このように、下り信号のうち、共通下り信号Ｓ２Ｃはサブ情報局３２Ａによって何ら加工されず、そのままその上流側及び下流側に共通に流れている。しかし、第２専用周波数帯域ＢＤを利用して流すデータの内容は上流側と下流側とで独立して別々に定めることができる構成である。
【００３６】
次に上り信号について図５を参照して説明する。下流側の通信ケーブル３内を流れている信号のうち、下流用上り信号Ｓ１’は帯域分配合成器４４によって下流用下り信号Ｓ２’と分離されその出力端子４４Ｂから下流用上り信号Ｓ１’のみが出力される。この下流用上り信号Ｓ１’は図５の（Ａ）に示されるように、第１専用周波数帯域ＢＵに下流側における情報サービスのための下流用上りデータ信号Ｕ２が配置されている。この下流用上り信号Ｓ１’はそのまま第２インターフェイス装置６２に供給されるほか、第１フィルタ４５及び増幅器４６を介して帯域分配合成器４３の入力端子４３Ｃに入力される。
【００３７】
第１フィルタ４５は下流用上り信号Ｓ１’のうちの第１専用周波数帯域ＢＵの周波数成分の通過を阻止する帯域阻止フィルタとして構成されており、したがって、第１フィルタ４５からは図５の（Ｂ）に示されるように、上り信号用周波数帯域Ｂ１から第１専用周波数帯域ＢＵの周波数成分が取り除かれた共通上り信号Ｓ１Ｃが出力されることとなる。第１フィルタ４５の上述の働きにより、下流用上りデータ信号Ｕ２が上流側、すなわち、帯域分配合成器４３に供給されることがない。
【００３８】
増幅器４６の入力側には、第１インターフェイス装置６１から上流側に送出すべき情報サービスのためのデータを内容とする第１専用周波数帯域ＢＵ内の周波数を利用した上流用上りデータ信号Ｕ１が供給されている。したがって、帯域分配合成器４３の第１端子４３Ａからは、上流側の通信ケーブル３に、共通上り信号Ｓ１Ｃに上流用上りデータ信号Ｕ１を付加して成る上流用上り信号Ｓ１が供給される（図５の（Ｃ）参照）。
【００３９】
このように、上り信号のうち、共通上り信号Ｓ１Ｃはサブ情報局３２Ａによって何ら加工されずにそのまま上流側及び下流側に共通に流れている。しかし、第１専用周波数帯域ＢＵを利用して流すデータの内容は上流側と下流側とで独立して別々に定めることができる。
【００４０】
以上の説明から、このＣＡＴＶシステム１においてはサブ情報局３２Ａの上流側に第１専用周波数帯域ＢＵ及び第２専用周波数帯域ＢＤを用いた、上流側とだけの双方向通信が可能な情報サービス用の第１双方向通信チャネルを設けると共に、下流側にも同様の第２双方向通信チャネルを設けることができ、且つこれら２つの双方向通信チャネルの独立性を保つことができることが理解される。
【００４１】
しかし、第１インターフェイス装置６１及び第２インターフェイス装置６２は、情報蓄積装置６３及び制御装置６４を共通に使用しているので、取り扱う情報データは共通であり、上流側及び下流側からの情報データの要求に対しては、上流、下流の区別なく対処できる。また、要求された情報データが情報蓄積装置６３内に無い場合には、上流側又は下流側に対してさらに情報を要求することもできる。
【００４２】
上記では、１つのサブ情報局３２Ａについて詳しく説明したが、他のサブ情報局３２Ｂ、３２Ｃも同様に構成されているので、これについての説明は省略する。以上の説明から、第３ブロックＢ３においてはサブ情報局３２Ｂによって第３双方向通信チャネルが、また第４ブロックＢ４においてはサブ情報局３２Ｃによって第４双方向通信チャネルがそれぞれ同様にして設けられることが解る。
【００４３】
通信ケーブル３にサブ情報局３２Ａ、３２Ｂ、３２Ｃを配設することにより、これにより区分された第１ブロックＢ１乃至第４ブロックＢ４のそれぞれにおいて、第１専用周波数帯域ＢＵ及び第２専用周波数帯域ＢＤを用いた相互に独立して運用することができる第１乃至第４双方向通信チャネルが確立されるので、各サブ情報局３２Ａ、３２Ｂ、３２Ｃを利用して情報サービスを分離させて行なうことができる。このため、情報提供のために設けられる１つの装置で取り扱う加入者端末装置の数が少なくなり、広い周波数帯域を使用しなくてもサービスの応答性が改善される。また、取り扱う加入者端末装置の数が少ないので、サブ情報局のコストは安くて済み、障害発生などの場合の影響も限定された範囲内であるから、システム全体に重大な障害を生じさせることがない。
【００４４】
さらに、ＣＡＴＶ網の既設の増幅器や、視聴装置、他の双方向装置等を変更することなく、接続装置を挿入するだけで情報提供装置を追加することが可能である。
【００４５】
したがって、当初加入者数が少ない場合でもそれに見合う数だけ情報提供装置を設置し、その後対象加入者数の増加に合わせて適切な箇所に接続装置を挿入するだけで情報提供装置を追加していくことができ、多数の加入者に対応することが可能となる。
【００４６】
本発明は、上述した一実施例の構成に限定されるものではない。例えば、（１）情報提供装置への下り情報チャネルを別な帯域にとり、ＣＡＴＶセンタから直接、各情報提供装置へ送ったり、あるいは、個々の情報提供装置が、電話回線等により情報を入手したりしてもよい。（２）また、加入者端末装置に対しても、ＣＡＴＶセンタの情報提供装置から別な帯域を用いて下り情報を送ってもよい。（３）伝送経路は物理的な媒体に依存しないので、光ファイバー等を用いてもよい。（４）その他、種々変形して実施しても良い。
【００４７】
また、本発明による双方向ＣＡＴＶシステムを利用してのサービスは上述の実施例に限定されず下記の如きサービスが可能である。
（１）加入者による情報検索サービス。
（２）加入者間の情報交換。
（３）ビデオ・オン・デマンド等の映像サービス。
（４）カラオケ・オン・デマンド、ニュース・オン・デマンド等のデータサービ。
（５）その他、ＣＡＴＶネットワーク上に設置された各種端末装置に対する、片方向、双方向のデータ通信サービス。
【００４８】
【発明の効果】
本発明によれば、通信用回線の途中に設けられたサブ情報局によって、その上流側及び下流側に相互に独立した双方向通信チャネルを設定し、これにより上流側と下流側とで情報サービスを分離して行うようにしたので、情報提供のために設けられる１つの装置で取り扱う加入者端末装置の数が少なくなり、広い周波数帯域を使用しなくてもサービスの応答性が改善される。また、取り扱う加入者端末装置の数が少ないので、サブ情報局のコストは安くて済み、障害発生などの場合の影響も限定された範囲内であるから、システム全体に重大な障害を生じさせることがない。
【００４９】
さらに、ＣＡＴＶ網の既設の増幅器や、視聴装置、他の双方向装置等を変更することなく、接続装置を挿入するのみで情報提供装置を追加することが可能である。したがって、当初加入者数が少ない場合でもそれに見合う数だけ情報提供装置を設置し、その後対象加入者数の増加に合わせて適切な箇所に接続装置を挿入するだけで情報提供装置を追加していくことができ、多数の加入者に対応することが可能となる。
【図面の簡単な説明】
【図１】本発明による双方向ＣＡＴＶシステムの一実施例を示すシステム構成図。
【図２】図１に示したサブ情報局の構成を示す詳細ブロック図。
【図３】図１の通信ケーブル内を流れる信号の周波数配置図。
【図４】図２に示す接続装置によってこの上流側と下流側とに設けられる第１双方向通信チャネルと第２双方向通信チャネルにおける下り信号の様子を説明するための説明図。
【図５】図２に示す接続装置によってこの上流側と下流側とに設けられる第１双方向通信チャネルと第２双方向通信チャネルにおける上り信号の様子を説明するための説明図。
【符号の説明】
１  双方向ＣＡＴＶシステム
２  ＣＡＴＶセンタ
３  通信ケーブル
４Ａ、４Ｂ、  加入者端末装置
５  ＣＡＴＶ放送装置
６  情報提供装置
７  ヘッドエンド
３０  通信路系統
３２Ａ、３２Ｂ、３２Ｃ  サブ情報局
４０  接続装置
４３、４４  帯域分配合成器
４５  第１フィルタ
４８  第２フィルタ
６０  情報提供装置
ＢＵ  第１専用周波数帯域
ＢＤ  第２専用周波数帯域
Ｂ１  上り信号用周波数帯域
Ｂ２  下り信号用周波数帯域
Ｄ１  上流用下りデータ信号
Ｄ２  下流用下りデータ信号
Ｓ１  上流用上り信号
Ｓ１’  下流用上り信号
Ｓ１Ｃ  共通上り信号
Ｓ２  上流用下り信号
Ｓ２Ｃ  共通下り信号
Ｓ２’  下流用下り信号
Ｕ１  上流用上りデータ信号
Ｕ２  下流用上りデータ信号
【図１】
0003782129.tif 000002
【図２】
0003782129.tif 000003
【図３】
0003782129.tif 000004
【図４】
0003782129.tif 000005
【図５】
0003782129.tif 000006